【手続補正書】
【提出日】平成23年7月29日(2011.7.29)
【手続補正１】
【補正対象書類名】特許請求の範囲
【補正対象項目名】請求項３１
【補正方法】変更
【補正の内容】
【請求項３１】
前記選択的に制限する論理は、前記取得された情報が、制限に関する前記１つもしくは複数の条件を満たす、または許可に関する前記１つもしくは複数の条件を満たさない、と前記決定する論理が決定した場合、前記サーバアービトレーションされた通信セッションに参加することから前記無線通信デバイスを制限する、請求項２１に記載の無線通信デバイス。
【手続補正２】
【補正対象書類名】特許請求の範囲
【補正対象項目名】請求項３２
【補正方法】変更
【補正の内容】
【請求項３２】
前記選択的に制限する論理は、前記取得された情報が、許可に関する前記１つもしくは複数の条件を満たす、または制限に関する前記１つもしくは複数の条件を満たさない、と前記決定する論理が決定した場合、前記サーバアービトレーションされた通信セッションへの前記無線通信デバイスの参加を許可する、請求項２１に記載の無線通信デバイス。
【手続補正３】
【補正対象書類名】特許請求の範囲
【補正対象項目名】請求項３３
【補正方法】変更
【補正の内容】
【請求項３３】
制限および／または許可の前記１つもしくは複数の条件は、前記受信する論理が前記要求を受信するとき、前記無線通信デバイスの使用者以外のエンティティによって確立される、請求項２１に記載の無線通信デバイス。
【手続補正４】
【補正対象書類名】特許請求の範囲
【補正対象項目名】請求項３８
【補正方法】変更
【補正の内容】
【請求項３８】
前記選択的に制限する論理は、前記取得する論理および前記決定する論理の前記後続の実行に基づいて、前記サーバアービトレーションされた通信セッションにさらに参加することから前記無線通信デバイスを制限する、請求項３７に記載の無線通信デバイス。
【手続補正５】
【補正対象書類名】明細書
【補正対象項目名】００２０
【補正方法】変更
【補正の内容】
【００２０】
無線電話１４など、セルラ電話および移動体電気通信デバイスは、増大しているコンピューティング機能を有して製造されており、パーソナルコンピュータおよびハンドヘルドＰＤＡに匹敵しつつある。これらの「スマート」セルラ電話は、ソフトウェア開発者が、無線デバイスのプロセッサ上にダウンロード可能であり、当該プロセッサ上で実行可能なソフトウェアアプリケーションを作成することを可能にする。セルラ電話１４などの無線デバイスは、ウェブページ、アプレット、ミッドレット、ゲーム、およびデータなど、多くのタイプのアプリケーションをダウンロードすることが可能である。通信グループ１２（図１）を指定した無線デバイスにおいて、無線通信デバイスは、そのセットの他のメンバと直接接続して、音声通信セッションおよびデータ通信セッションに参加することが可能である。しかし、すべてのかかるグループ直接通信は、「サーバアービトレーションされること」が可能であり、これは、通信セッションが、通信サーバ３２を介して、または通信サーバ３２の制御で発生することを意味する。デバイスのそれぞれのデータパケットは、通信サーバ３２自体を介して移動しなければならないとは限らないが、通信サーバ３２は、通常、通信グループのメンバの識別を認識している、および／もしくはその識別を取り出すことが可能な、または通信グループ１２のメンバの識別性を別のコンピュータデバイスに方向付けることが可能な唯一のサーバ側５０コンポーネントであることになるため、通信サーバ３２は、最終的に通信セッションを制御することが可能であり得る。
【手続補正６】
【補正対象書類名】明細書
【補正対象項目名】００２５
【補正方法】変更
【補正の内容】
【００２５】
図４は、ＰＴＴ設備とグループ向け通信設備とを備えた、無線通信デバイス７４のコンピュータプラットフォーム８２上に常駐するソフトウェア層の一実施形態の図である。この実施形態において、移動体デバイス環境内のコンピュータプラットフォーム８２は、移動局モデム（ＭＳＭ）１００の上部に開発された一連のソフトウェア「層」からなり、ＱＵＡＬＣＯＭＭ（登録商標）によって開発されたＡｄｖａｎｃｅｄ  Ｍｏｂｉｌｅ  Ｓｕｂｓｃｒｉｂｅｒ  Ｓｏｆｔｗａｒｅ（ＡＭＳＳ）１０２は、基礎となるＭＳＭ チップセットを駆動させて、ＣＤＭＡ２０００  １ＸおよびＣＤＭＡ２０００  １ｘＥＶ−ＤＯを含むＣＤＭＡ通信技術全体に関するソフトウェアプロトコルスタックを実装する。この実施形態では、やはりＱＵＡＬＣＯＭＭによって開発されたＢＲＥＷ（登録商標）である移動体オペレーティングシステム層１０４が存在する。移動体オペレーティングシステム層１０４は、チップ特有の演算またはデバイス特有の演算に対するアプリケーションプログラミングインターフェースであり、一方、コンピュータプラットフォーム上のＡＭＳＳ１０２および任意のＯＥＭソフトウェアに対する直接接触を排除する隔離層を提供する。移動体オペレーティングシステム層１０４は、デバイス特有のソフトウェアの新しいリリースが公表されるたびに、そのアプリケーションを書き換える必要なしに、移動体デバイスの機能を使用するアプリケーション開発を可能にする。
【手続補正７】
【補正対象書類名】明細書
【補正対象項目名】００３０
【補正方法】変更
【補正の内容】
【００３０】
一実施形態において、デバイス１４の通信セッションの制限は、複数のパラメータまたは基準に基づいてよく、これらのパラメータは相互依存し得る。例えば、位置ベースの制限は、デバイス１４が特定の領域または特定の位置にあると決定されたときだけ「アクティブ」であり得るか、または行使され得る。逆に、時間ベースの制限は、特定の期間内でだけ「アクティブ」であり得るか、または行使され得る。したがって、通信の間に制限パラメータが変更する場合（例えば、時間が午後５時を越えた場合、または無線通信デバイス１４が画定された位置領域から退去した場合）、制御アプリケーションは、（ｉ）アクティブな通信セッションを即時に終了すること、（ｉｉ）通信セッションが間もなく終了するという警告を使用者に提示し、次いで、所与の期間の後でセッションを終了すること、または（ｉｉｉ）デバイス１４の使用者によって終了されるまで、その通信を許可することのいずれかが可能である。したがって、制御アプリケーションの（例えば、デバイス１４の実際の使用者であるとは限らない）所有者、制御者、または管理者は、制限を伴わずに開始されたアクティブな通信セッションが後に制限の資格を得た場合、その状況をどのように処理するかについて、デバイス１４を構成することが可能である。
【手続補正８】
【補正対象書類名】明細書
【補正対象項目名】００３７
【補正方法】変更
【補正の内容】
【００３７】
図６は、本発明の実施形態による、位置と時間の両方に基づいて、通信セッションを選択的に制限するプロセスを例示する。図６を参照すると、通信セッションに参加することに関する要求が無線通信デバイスにおいて受信される（１３０）。一例では、通信セッションに参加することに関する要求は、無線通信デバイス１４の使用者による、新しい通信セッションを開始するための要求に対応してよく、またはその代わりに、別の無線通信デバイスによって発せられた通信セッションを告げるコールアナウンスメッセージの受信に対応してもよい。１３０で通信セッション要求を受信した後で、コンピュータプラットフォーム８２上の制御アプリケーションは、現在の時間情報を取得する（１３２）。一例では、１３２において取得された現在の時間情報は、デバイス１４内の内部クロックによって維持された時間に対応してよく、またはその代わりに、ネットワークから受信されてもよい。